(57)【要約】【課題】無駄な電力を消費することなく、乾燥行程後の洗濯物の仕上がりを良くするドラム式洗濯乾燥機を提供する。【解決手段】周壁に多数の通水孔２を設け回転軸４を有する回転ドラム１と、本体９内に弾性的に支持され回転ドラム１を内包する水槽３と、送風ファン１９を有する循環経路１４内に設けられ水槽３内の空気を除湿する熱交換器２０と、循環経路１４に設けた第１ヒータ２５ａおよび第２ヒータ２５ｂと、回転ドラムを駆動するモータ５とを備え、脱水行程および乾燥行程において、回転ドラム１の回転速度に応じて送風ファン１９の回転速度を変更するようにしたドラム式洗濯乾燥機であるので、無駄な電力を消費することなく、乾燥行程後の洗濯物の仕上がりを良くすることができる。【選択図】図２
2006136448.tif 000002
【特許請求の範囲】
【請求項１】
周壁に多数の通水孔を設け略水平方向または傾斜方向に回転中心軸を有する回転ドラムと、本体内に弾性的に支持され前記回転ドラムを内包する水槽と、送風手段を有する循環経路内に設けられ前記水槽内の空気を除湿する除湿手段と、前記循環経路に設けた加熱手段と、前記回転ドラムを駆動するモータと、前記送風手段、除湿手段、加熱手段およびモータ等の駆動を制御し洗い、すすぎ、脱水および乾燥の各行程を制御する制御手段とを備え、前記制御手段は、前記脱水行程および乾燥行程において、前記回転ドラムの回転速度に応じて前記送風手段の回転速度を変更することを特徴とするドラム式洗濯乾燥機。
【請求項２】
制御手段は、脱水行程時の送風手段の回転速度を、乾燥行程時の前記送風手段の回転速度より低く設定したことを特徴とする請求項１記載のドラム式洗濯乾燥機。
【請求項３】
制御手段は、脱水行程初期における加熱手段の出力を、前記脱水行程初期より後における前記加熱手段の出力より高く設定したことを特徴とする請求項１または２に記載のドラム式洗濯乾燥機。
【請求項４】
制御手段は、乾燥行程初期における送風手段の回転速度を、前記乾燥行程初期より後における回転速度より低く設定したことを特徴とする請求項１〜３のいずれか１項に記載のドラム式洗濯乾燥機。
【発明の詳細な説明】
【技術分野】
【０００１】
本発明は、回転軸が水平もしくは傾斜した回転ドラム内で洗濯、すすぎ、脱水および乾燥の各行程を行うドラム式洗濯乾燥機に関するものである。
【背景技術】
【０００２】
水槽内に回転自在に配した回転ドラム内に洗濯物を投入して回転ドラムを回転駆動することにより、洗濯工程、すすぎ工程、脱水工程を順次実行して洗濯物を洗浄するドラム式洗濯機が構成され、このドラム式洗濯機に乾燥機能を設けることにより、脱水工程を終えた洗濯物を乾燥する乾燥工程を実行することができるドラム式洗濯乾燥機に構成することができる。乾燥機能は、水分を含む洗濯物が収容された回転ドラム内と空気流通する水槽内の湿気を含んだ空気を槽外に排気して除湿手段により空気中の湿気を除湿した後、加熱手段によって加熱乾燥させた温風にして再び水槽内に送風するように構成され、湿気を含む空気が排気され、乾燥した温風が送風される空気循環が継続されることにより、回転ドラム内の洗濯物は乾燥される（例えば、特許文献１参照）。
【０００３】
回転ドラムはその周面全体に水及び空気が通過できる透孔が多数形成されているため、この回転ドラムを収容する水槽内から排気すると、水分を含む洗濯物を収容した回転ドラム内の湿気を含む空気は前記透孔を通過して水槽内から槽外に排出される。排出された空気は多量の水蒸気を含んだ温風であり、これを除湿手段の冷たい水が流されて冷却されている熱交換器上を通すと、温風は熱交換器に触れて冷却され、水蒸気は凝結して水となって冷却水と共に流れ去るので、水蒸気を多量に含む温風は除湿された空気となる。空気中に含むことができる水蒸気の量は、空気の温度が高いほど多くなるので、回転ドラム内に乾燥した高い温度の空気を送風すると、洗濯物からそれに含まれている水分が空気中に奪われて水蒸気を多量に含む空気となって排気され、前述のように除湿手段により冷却除湿されるので、除湿された空気を再び加熱して回転ドラム内に送風する空気循環を繰り返すことにより洗濯物は乾燥される。
【特許文献１】特開平７−４７１９５号公報
【発明の開示】
【発明が解決しようとする課題】
【０００４】
しかしながら、従来のドラム式洗濯乾燥機では、乾燥行程までにできるだけ洗濯物から水分を取り除くために、脱水行程時のドラムの回転速度を上げたりしていたが、このような場合、洗濯物がドラムに張り付いたり、押し付けられてシワがついた状態で脱水行程を終了し、運転コースによってはそのまま乾燥行程に入り、洗濯物にシワが多く残った状態で乾燥が終了してしまったりして、乾燥後の洗濯物の仕上がりが悪くなるという課題があった。
【０００５】
本発明は、前記従来の課題を解決するもので、洗濯物のシワ残りを少なくし、乾燥後の洗濯物の仕上がりの良いドラム式洗濯乾燥機を提供することにある。
【課題を解決するための手段】
【０００６】
前記従来の課題を解決するために、本発明のドラム式洗濯乾燥機は、周壁に多数の通水孔を設け略水平方向または傾斜方向に回転中心軸を有する回転ドラムと、本体内に弾性的に支持され前記回転ドラムを内包する水槽と、送風手段を有する循環経路内に設けられ前記水槽内の空気を除湿する除湿手段と、前記循環経路に設けた加熱手段と、前記回転ドラムを駆動するモータと、前記送風手段、除湿手段、加熱手段およびモータ等の駆動を制御し洗い、すすぎ、脱水および乾燥の各行程を制御する制御手段とを備え、前記制御手段は、前記脱水行程および乾燥行程において、前記回転ドラムの回転速度に応じて前記送風手段の回転速度を変更することを特徴とするものである。
【０００７】
これによって、脱水行程中において、無駄な電力を消費することなく、洗濯物の状態をシワ残りの少ない最適な状態に保つことができるので、乾燥行程終了後に洗濯物の仕上がりの良いドラム式洗濯乾燥機を得ることができる。
【発明の効果】
【０００８】
本発明のドラム式洗濯乾燥機は、無駄な電力を消費することなく、乾燥行程後の洗濯物の仕上がりを良くすることができる。
【発明を実施するための最良の形態】
【０００９】
第１の発明のドラム式洗濯乾燥機は、周壁に多数の通水孔を設け略水平方向または傾斜方向に回転中心軸を有する回転ドラムと、本体内に弾性的に支持され前記回転ドラムを内包する水槽と、送風手段を有する循環経路内に設けられ前記水槽内の空気を除湿する除湿手段と、前記循環経路に設けた加熱手段と、前記回転ドラムを駆動するモータと、前記送風手段、除湿手段、加熱手段およびモータ等の駆動を制御し洗い、すすぎ、脱水および乾燥の各行程を制御する制御手段とを備え、前記制御手段は、前記脱水行程および乾燥行程において、前記回転ドラムの回転速度に応じて前記送風手段の回転速度を変更することを特徴とすることにより、脱水行程中において、無駄な電力を消費することなく、洗濯物の状態をシワ残りの少ない最適な状態に保つことができるので、乾燥行程終了後の洗濯物の仕上がりを良くすることができる。
【００１０】
第２の発明は、特に、第１の発明の制御手段は、脱水行程時の送風手段の回転速度を、乾燥行程時の前記送風手段の回転速度より低く設定したことを特徴とすることにより、脱水行程中においては、回転ドラムは高速回転し、その回転により循環経路内にも空気の流れが発生するので、送風手段の回転速度を乾燥行程時の回転速度より低くしても、十分な循環風量を確保でき、脱水行程における送風手段の無駄な電力を消費することなく、洗濯物の状態をシワ残りの少ない最適な状態に保つことができるので、乾燥行程終了後の洗濯物の仕上がりを良くすることができる。
【００１１】
第３の発明は、特に、第１または第２の発明の制御手段は、脱水行程初期における加熱手段の出力を、前記脱水行程初期より後における前記加熱手段の出力より高く設定したことを特徴とすることにより、脱水行程の初期で常温状態にある回転ドラム内の洗濯物を一気に暖め、また、循環経路は閉経路であり洗濯物の温度は下がりにくいので、脱水行程の初期より後において加熱手段の出力を下げても洗濯物の温度を所定温度に維持でき、脱水行程における加熱手段の無駄な電力を消費することなく、洗濯物の状態をシワ残りの少ない最適な状態に保つことができるので、乾燥行程終了後の洗濯物の仕上がりを良くすることができる。
【００１２】
第４の発明は、特に、第１〜３のいずれか１つの発明の制御手段は、乾燥行程初期における送風手段の回転速度を、前記乾燥行程初期より後における回転速度より低く設定したことを特徴とすることにより、乾燥行程の初期において回転ドラム内の洗濯物の温度をより早く高くするために送風手段の回転速度を低く設定することで循環空気の温度を上げ、その後、送風手段の回転速度を高くすることで、循環空気の風量を増加させ、洗濯物に効率よく温風を当てることができるので、洗濯物を効率よく乾燥でき、乾燥時間を短縮することができるとともに、洗濯物の状態をシワ残りの少ない最適な状態に保つことができるので、乾燥行程終了後の洗濯物の仕上がりを良くすることができる。
【００１３】
以下、本発明の実施の形態について、図面を参照しながら説明する。なお、この実施の形態によって本発明が限定されるものではない。
【００１４】
（実施の形態１）
本発明の第１の実施の形態におけるドラム式洗濯乾燥機について、図１〜５を用いて説明する。図１は、本実施の形態におけるドラム式洗濯乾燥機の側断面図、図２は、同ドラム式洗濯乾燥機の水槽内に送風する循環経路を示す側断面図、図３は、同ドラム式洗濯乾燥機の水槽内に送風する循環経路を示す断面図、図４は、同ドラム式洗濯乾燥機の一部ブロック化した回路図、図５は、同ドラム式洗濯乾燥機の脱水行程および乾燥行程におけるタイムチャートである。
【００１５】
図１に示すように、回転ドラム１は、有底円筒形に形成し外周部に多数の通水孔２を全面に設け、水槽３内に回転自在に配設している。回転ドラム１の回転中心に略傾斜方向に回転軸（回転中心軸）４を設け、回転ドラム１の軸心方向を正面側から背面側に向けて下向きに傾斜させて配設している。この回転軸４に、水槽３の背面に取り付けたモータ５を連結し、回転ドラム１を正転、逆転方向に回転駆動する。回転ドラム１の内壁面に数個の突起板６を設けている。
【００１６】
水槽３の正面側の上向き傾斜面に設けた開口部を蓋体７により開閉自在に覆い、この蓋体７を開くことにより衣類出入口８を通して回転ドラム１内に洗濯物を出し入れできるようにしている。蓋体７を上向き傾斜面に設けているため、洗濯物を出し入れする際、腰を屈めることなく行うことができる。
【００１７】
水槽３は本体９よりばね体（図示せず）で揺動可能に吊り下げており、水槽３の下部に排水経路１０の一端を接続し、排水経路１０の他端を排水弁１１に接続して水槽３内の洗濯水を排水するようにしている。第１給水弁１２は洗剤投入ケース１３ａおよび給水経路１３を通して水槽３内に水を給水するものである。なお、本実施の形態では、回転ドラム１の回転中心に略傾斜方向に回転軸４を設け、回転ドラム１の軸心方向を正面側から背面側に向けて下向きに傾斜させて配設しているが、回転ドラム１の回転中心に略水平方向に回転軸４を設け、回転ドラム１の軸心方向を略水平方向に配設してもよい。
【００１８】
つぎに、図２に示すように、循環経路１４は、水槽３内の空気を排気して除湿し、加熱して乾燥した温風にして再び水槽３内に送風する経路で、水槽３の排気口１５に連通した除湿管路１６と、この除湿管路１６に接続した送風管路１７と、この送風管路１７に接続し水槽３の背面側に配設した加熱管路１８とで構成している。
【００１９】
加熱管路１８内に配設した送風ファン（送風手段）１９を回転駆動することにより、循環経路１４に空気の流れが発生し、回転ドラム１内の空気は通水孔２を通して水槽３の上方に開口した排気口１５から矢印ａ方向に除湿管路１６に排気される。除湿管路１６に水槽３内の空気を除湿する熱交換器（除湿手段）２０を設け、この熱交換器２０は第２給水弁２１から給水口２２を通して、矢印ｂ方向に供給される水の噴霧により冷却されており、水槽３から排気された水分を含む空気を冷却し、水分を結露して除湿する。
【００２０】
除湿管路１６に接続した送風管路１７は、衣類出入口８の近傍に配設したリントフィルター２３を通して水槽３の背面側に空気を導く管路を形成しており、水槽３の背面側に配設した加熱管路１８に接続している。加熱管路１８は、図３に示すように、水槽３の背面に取り付けたモータ５の上方に円弧状に流路を形成し、その内部に、送風管路１７との接続位置に送風ファン１９を配設し、他端に水槽３に通じる送風口２４を形成し、円弧状の屈曲部に第１ヒータ（加熱手段）２５ａおよび第２ヒータ（加熱手段）２５ｂを２層に配設している。
【００２１】
この加熱管路１８を通過する空気は第１ヒータ２５ａおよび第２ヒータ２５ｂにより所定温度に加熱され、乾燥した温風として送風口２４から水槽３内に送風され、通水孔２を通して回転ドラム１内に供給されるので、回転ドラム１の回転により撹拌される洗濯物は乾燥した温風に水分が奪われて乾燥が進行する。この空気の循環を繰り返すことにより洗濯物の乾燥がなされる。
【００２２】
制御装置２６は、図４に示すように構成しており、モータ５、排水弁１１、第１給水弁１２、第２給水弁２１、送風ファン１９、第１ヒータ２５ａおよび第２ヒータ２５ｂなどの動作を制御し、洗い、すすぎ、脱水、乾燥の一連の行程を逐次制御するマイクロコンピュータからなる制御手段２７を有している。制御手段２７は、運転コース等を設定するための入力設定手段２８からの情報を入力して、その情報を基に表示手段２９で表示して使用者に知らせるとともに、入力設定手段２８により運転開始が設定されると、水槽３内の水位を検知する水位検知手段３０等からのデータを入力して負荷駆動手段３１を介して、排水弁１１、第１給水弁１２、第２給水弁２１、送風ファン１９、第１ヒータ２５ａおよび第２ヒータ２５ｂなどの動作を制御し、洗濯・乾燥運転を行う。
【００２３】
このとき、制御手段２７は、モータ５のロータの位置を検出する位置検出手段３２からの情報に基づいて、駆動回路３３を介してインバータ３４を制御することによりモータ５を回転制御するようにしている。モータ５は直流ブラシレスモータで、図示していないが、３相巻線を有するステータと、リング上に２極の永久磁石を配設しているロータとで構成し、ステータは３相巻線を構成する第１の巻線５ａ、第２の巻線５ｂ、第３の巻線５ｃをスロットを設けた鉄心に巻き付けて構成している。
【００２４】
インバータ３４は、パワートランジスタ（ＩＧＢＴ）と逆導通ダイオードの並列回路からなるスイッチング素子で構成している。第１のスイッチング素子３４ａと第２のスイッチング素子３４ｂの直列回路と、第３のスイッチング素子３４ｃと第４のスイッチング素子３４ｄの直列回路と、第５のスイッチング素子３４ｅと第６のスイッチング素子３４ｆの直列回路で構成し、各スイッチング素子の直列回路は並列接続している。
【００２５】
ここで、スイッチング素子の直列回路の両端は入力端子で、直流電源を接続し、スイッチング素子の直列回路を構成する２つのスイッチング素子の接続点に、それぞれ出力端子を接続している。出力端子は、３相巻線のＵ端子、Ｖ端子、Ｗ端子に接続し、スイッチング素子の直列回路を構成する２つのスイッチング素子のオン・オフの組合せにより、Ｕ端子、Ｖ端子、Ｗ端子をそれぞれ正電圧、零電圧、解放の３状態にする。
【００２６】
スイッチング素子のオン・オフは、ホールＩＣからなる３つの位置検出手段３２ａ、３２ｂ、３２ｃからの情報に基づいて制御手段２７により制御される。位置検出手段３２ａ、３２ｂ、３２ｃは電気角で１２０度の間隔でロータが有する永久磁石に対向するように、ステータに配設されている。
【００２７】
ロータが１回転する間に、３つの位置検出手段３２ａ、３２ｂ、３２ｃは、それぞれ電気角で１２０度の間隔でパルスを出力する。制御手段２７は、３つの位置検出手段３２ａ、３２ｂ、３２ｃのいずれかの信号の状態が変わったときを検知し、位置検出手段３２ａ、３２ｂ、３２ｃの信号を基に、スイッチング素子３４ａ〜３４ｆのオン・オフ状態を変えていくことで、Ｕ端子、Ｖ端子、Ｗ端子を正電圧、零電圧、解放の３状態にし、ステータの第１の巻線５ａ、第２の巻線５ｂ、第３の巻線５ｃに通電して磁界を作り、ロータを回転させるよう構成している。
【００２８】
また、スイッチング素子３４ａ、３４ｃ、３４ｅはそれぞれパルス幅変調（ＰＷＭ）制御され、例えば、繰り返し周波数１０ｋＨｚでハイ、ローの通電比を制御することで、ロータの回転数を制御するようにしてあり、制御手段２７は、３つの位置検出手段３２ａ、３２ｂ、３２ｃのいずれかの信号の状態が変わるたびにその周期を検出し、その周期よりロータの回転数を算出して、設定回転数になるようにスイッチング素子３４ａ、３４ｃ、３４ｅをＰＷＭ制御する。
【００２９】
電流検知手段３５は、インバータ３４の一方の入力端子に接続した抵抗３６と、この抵抗３６に接続した電流検知回路３７とで構成し、インバータ３４の入力電流値、すなわちモータ５の電流値を検知して電圧信号に変換し、その電圧信号を制御手段２７に入力している。また、制御手段２７は入力した電圧信号をＡ／Ｄ変換してデジタルデータとして演算処理し、モータ５の電流が所定値以下になるようにモータ５を制御するようにしている。
【００３０】
商用電源３８は、ダイオードブリッジ３９、チョークコイル４０、平滑用コンデンサ４１からなる直流電源変換装置を介して、インバータ３４に接続している。ただし、これは一例であり、直流ブラシレスモータ５の構成、インバータ３４の構成等は、これに限定されるものではない。
【００３１】
また、循環経路１４内で水槽３に通じる送風口２４の近傍には、水槽３内に送風される温風の温度を検知する温度検知手段４２が設けてあり、温度検知手段４２により検知された温度データは、制御手段２７に入力される。
【００３２】
上記構成において動作を説明する。扉７を開いて回転ドラム１内に洗濯物を投入して運転を開始させると、第１注水弁１２が開き、洗剤投入ケース１３ａ内に水が注水され、その中に投入されていた洗剤を流しながら、給水経路１３を介して、水槽３内に所定量の注水がなされ、モータ５により回転ドラム１が回転駆動されて洗濯行程が開始される。洗濯行程の洗濯物は、回転ドラム１の回転により、突起板６によって回転方向に持ち上げられ落下する撹拌動作が繰り返され、いわゆる叩き洗いの作用が及んで洗濯がなされる。
【００３３】
所要の洗濯時間の後、排水弁１１が開き、汚れた洗濯液は排水管路１０から排出され、回転ドラム１を高速回転させる脱水動作により洗濯物に含まれた洗濯液を脱水し、その後、水槽３内に注水管路１３を介して注水され、すすぎ行程が実施される。このすすぎ行程においても、洗濯物には回転ドラム１の回転により、突起板６で持ち上げられて落下する撹拌動作が繰り返されてすすぎ洗いが実施される。すすぎ行程が終了すると、回転ドラム１を高速回転させて脱水する脱水行程が実行され、所定時間後、乾燥行程が実行される。
【００３４】
以下、脱水行程および乾燥行程における回転ドラムおよび送風手段の回転速度、ヒータおよび第２給水弁の動作および送風される温風の温度について、図５を用いて説明する。
【００３５】
脱水行程が開始すると、モータ５の回転駆動を始めることにより、回転ドラム１が回転を始める。それと同時に、送風ファン１９を回転駆動し、第１ヒータ２５ａおよび第２ヒータ２５ｂへの電力供給をともにＯＮする（Ｗ２）。このとき、送風ファン１９の回転速度は、第３の回転速度ω３に設定されている。このときの温度検知手段４２による検知温度は、第１の温度ＴＥ１となる。これにより、脱水行程時における回転ドラム１内の洗濯物を一気に温めることができる。
【００３６】
その後、回転ドラム１の回転速度が、脱水の通常回転速度である第１の回転速度ω１に達する（Ｔ１）と、第２ヒータ２５ｂへの電力供給をＯＦＦし、第１ヒータ２５ａへの電力供給のみをＯＮ状態とする（Ｗ１）。このとき、送風ファン１９は第３の回転速度ω３で回転を続け、また、第２給水弁２１はＯＦＦの状態のままであるので、熱交換器２０による除湿は行われない。このときの温度検知手段４２による検知温度は、第１の温度ＴＥ１より低い第３の温度ＴＥ３となり、この状態をほぼ維持する状態となる。これにより、循環経路１４は閉経路であり洗濯物の温度は下がりにくいので、脱水行程の初期より後において、第１ヒータ２５ａおよび第２ヒータ２５ｂのいずれか一方をＯＦＦしても洗濯物の温度を所定温度に維持できる。
【００３７】
その後、回転ドラム１が、第１の回転速度ω１で所定時間回転した（Ｔ２）後、モータ５の回転駆動をＯＦＦすることで、回転ドラム１は惰性回転を行う（Ｔ２〜Ｔ３）。このとき、送風ファン１９を回転駆動および第１ヒータ２５ａへの電力供給をＯＦＦする。このときの温度検知手段４２による検知温度は、第３の温度ＴＥ３より低い第４の温度ＴＥ４まで低下する。そして、回転ドラム１の惰性回転が終了すると、乾燥行程に移行する（Ｔ３）。
【００３８】
乾燥行程においては、モータ５は、回転ドラム１の回転により、洗濯物が突起板６によって回転方向に持ち上げられ落下する撹拌動作が行われる回転速度である第２の回転速度ω２で正回転（時計回り方向への回転）するように所定時間駆動し、その後所定時間休止した後、第２の回転速度ω２で逆回転（反時計回り方向への回転）するように所定時間駆動され、その後、休止、正回転、休止、逆回転を繰り返すよう駆動される。
【００３９】
この乾燥行程開始と同時に、送風ファン１９を回転駆動し、第１ヒータ２５ａおよび第２ヒータ２５ｂへの電力供給をともにＯＮする（Ｗ２）とともに、第２給水弁２１をＯＮ状態とし、熱交換器２０による除湿を開始する。このとき、送風ファン１９の回転速度は、第３の回転速度ω３より高い第４の回転速度ω４に設定されている。
【００４０】
このときの温度検知手段４２による検知温度は、脱水行程の初期と略同等の第１の温度ＴＥ１まで上昇する。ここで、送風ファン１９の回転速度は、第３の回転速度ω３より高い第４の回転速度ω４に設定されているが、前記の脱水行程においては、回転ドラム１の高速回転により、循環経路１４内の流量が増加するので、循環経路１４内の実質の流量は、脱水行程の初期とこの乾燥行程の初期とで略同等になるので、水槽３内に送風される温風の温度も略同等の温度となる。
【００４１】
そして、所定時間経過すると（Ｔ４）、送風ファン２３の回転速度を第４の回転速度ω４より高い第５の回転速度ω５に変更設定する。これにより、循環経路１４内の流量が増加するので、温度検知手段４２による検知温度は、第１の温度ＴＥ１より低い第２の温度ＴＥ２となる。このように、水槽３内に送風される温風の温度は低下するが、流量をましているので、洗濯物に勢いよく効率的に温風を当てることができるので、洗濯物を効率よく乾燥でき、乾燥時間を短縮することができる。
【００４２】
その後、所定時間経過するか、または、回転ドラム１内の洗濯物が所定の乾燥度になった場合、乾燥行程を終了し、一連の洗濯、すすぎ、脱水および乾燥の行程を終了する。
【００４３】
以上のように、本実施の形態によれば、脱水行程中においては、回転ドラム１は高速回転し、その回転により循環経路１４内にも空気の流れが発生するので、送風ファン１９の回転速度を乾燥行程時の回転速度より低くしても、十分な循環風量を確保でき、脱水行程における送風ファン１９の無駄な電力を消費することなく、洗濯物の状態をシワ残りの少ない最適な状態に保つことができるので、乾燥行程終了後の洗濯物の仕上がりを良くすることができる。
【００４４】
また、脱水行程の初期で常温状態にある回転ドラム１内の洗濯物を一気に暖め、また、循環経路１４は閉経路であり洗濯物の温度は下がりにくいので、脱水行程の初期より後において第１ヒータ２５ａおよび第２ヒータ２５ｂのいずれか一方をＯＦＦしても洗濯物の温度を所定温度に維持でき、脱水行程におけるヒータの無駄な電力を消費することなく、洗濯物の状態をシワ残りの少ない最適な状態に保つことができるので、乾燥行程終了後の洗濯物の仕上がりを良くすることができる。
【００４５】
さらに、乾燥行程の初期において回転ドラム１内の洗濯物の温度をより早く高くするために送風ファン１９の回転速度を低く設定することで循環空気の温度を上げ、その後、送風ファン１９の回転速度を高くすることで、循環空気の風量を増加させ、洗濯物に効率よく温風を当てることができるので、洗濯物を効率よく乾燥でき、乾燥時間を短縮することができるとともに、洗濯物の状態をシワ残りの少ない最適な状態に保つことができるので、乾燥行程終了後の洗濯物の仕上がりを良くすることができる。
【産業上の利用可能性】
【００４６】
以上のように、本発明にかかるドラム式洗濯乾燥機は、無駄な電力を消費することなく、乾燥行程後の洗濯物の仕上がりを良くすることができるので、洗濯物乾燥機等の洗濯物の仕上がりを重視する衣類乾燥機器に適用できる。
【図面の簡単な説明】
【００４７】
【図１】本発明の第１の実施の形態におけるドラム式洗濯乾燥機の側断面図
【図２】同ドラム式洗濯乾燥機の水槽内に送風する循環経路を示す側断面図
【図３】同ドラム式洗濯乾燥機の水槽内に送風する循環経路を示す断面図
【図４】同ドラム式洗濯乾燥機の一部ブロック化した回路図
【図５】同ドラム式洗濯乾燥機の脱水行程および乾燥行程におけるタイムチャート
【符号の説明】
【００４８】
１  回転ドラム
２  通水孔
３  水槽
４  回転軸（回転中心軸）
５  モータ
９  本体
１４  循環経路
１９  送風ファン（送風手段）
２０  熱交換器（除湿手段）
２５ａ  第１ヒータ（加熱手段）
２５ｂ  第２ヒータ（加熱手段）
２７  制御手段
【図１】
2006136448.tif 000003
【図２】
2006136448.tif 000004
【図３】
2006136448.tif 000005
【図４】
2006136448.tif 000006
【図５】
2006136448.tif 000007